(57)【要約】【課題】  内部にディスクメディアを格納するディスクカートリッジであって、その平面形状として片面が半円形部、もう片面が角部が丸みを帯びた略方形部とされたディスクカートリッジを、例えばＣＤケースサイズの収納ケースに対して複数枚効率よく収納する。【解決手段】  上記ディスクカートリッジのそれぞれを、互いの上記半円形部を対向させ、且つ互いの中心線をずらすようにして収納する。或いは、上記ディスクカートリッジのそれぞれを、互いの上記半円形部が同方向に向くように一致させ、且つ互いの中心線をずらすように収納する。又は、上記ディスクカートリッジのそれぞれの中心線を上記収納スペースの対角線上に一致させ、且つこの対角線上にて両端に位置するようにされたディスクカートリッジの内の、少なくとも一方のディスクカートリッジの上記半円形部を、直近の上記対角線の端部に向き合わせるように収納する。このようにすることで、上記半円形部の円形状を利用して効率よくディスクカートリッジを収納できる。【選択図】  図３
2005085375.tif 000002
【特許請求の範囲】
【請求項１】
内部にディスクメディアを格納すると共に、その平面形状として、片側半面は半円形部とされ、他方の片側半面は略方形部とされたディスクカートリッジを、複数収納するための収納ケースであって、
上記収納ケース内に形成される収納スペースにおいて、上記ディスクカートリッジのそれぞれを、互いの上記半円形部を対向させ、且つ互いの中心線がずれるように保持する保持手段が設けられた収納ケース。
【請求項２】
少なくとも上記収納スペースの平面形状が、方形状とされることを特徴とする請求項１に記載の収納ケース。
【請求項３】
少なくとも外形寸法がコンパクトディスク収納用の収納ケースと同寸法とされることを特徴とする請求項１に記載の収納ケース。
【請求項４】
さらに、所定領域に対して収納不能部分が形成されていることを特徴とする請求項１に記載の収納ケース。
【請求項５】
上記保持手段は、上記ディスクカートリッジを係止する爪形状とされていることを特徴とする請求項１に記載の収納ケース。
【請求項６】
内部にディスクメディアを格納すると共に、その平面形状として、片側半面は半円形部とされ、他方の片側半面は、角部が丸みを帯びた略方形部とされたディスクカートリッジを、複数収納するための収納ケースであって、
上記収納ケース内に形成される収納スペースにおいて、上記ディスクカートリッジのそれぞれを、互いの上記半円形部を同方向に一致させ、且つ互いの中心線がずれるように保持する保持手段が設けられた収納ケース。
【請求項７】
少なくとも上記収納スペースの平面形状が、方形状とされることを特徴とする請求項６に記載の収納ケース。
【請求項８】
少なくとも外形寸法がコンパクトディスク収納用の収納ケースと同寸法とされることを特徴とする請求項６に記載の収納ケース。
【請求項９】
さらに、所定領域に対して収納不能部分が形成されていることを特徴とする請求項６に記載の収納ケース。
【請求項１０】
上記保持手段は、上記ディスクカートリッジを係止する爪形状とされていることを特徴とする請求項６に記載の収納ケース。
【請求項１１】
内部にディスクメディアを格納すると共に、その平面形状として、片側半面は半円形部とされ、他方の片側半面は、角部が丸みを帯びた略方形部とされたディスクカートリッジを、複数収納するための収納ケースであって、
上記収納ケース内に形成される収納スペースにおいて、上記ディスクカートリッジのそれぞれの中心線を上記収納スペースの対角線上に一致させ、且つこの対角線上にて両端に位置するようにされたディスクカートリッジのうちの、少なくとも一方のディスクカートリッジの上記半円形部を、直近の上記対角線の端部に向き合わせるように保持する保持手段が設けられた収納ケース。
【請求項１２】
少なくとも外形寸法がコンパクトディスク収納用の収納ケースと同寸法とさることを特徴とする請求項１１に記載の収納ケース。
【請求項１３】
さらに、所定領域に対して収納不能部分が形成されていることを特徴とする請求項１１に記載の収納ケース。
【請求項１４】
上記保持手段は、上記ディスクカートリッジを係止する爪形状とされていることを特徴とする請求項１１に記載の収納ケース。
【発明の詳細な説明】
【技術分野】
【０００１】
本発明は、内部にディスクメディアを格納したディスクカートリッジを、複数収納するための収納ケースに関する。
【背景技術】
【０００２】
例えば所要のメディアを記録媒体とした記録再生装置として、特に携帯型の記録再生装置の分野では、装置のさらなる小型化を図るためにより小型のメディアを使用するようにされたものがある。
例えば、このような小型のメディアとして、近年では直径が６０mm程度の光ディスクをカートリッジに格納した次世代ディスクが提案されている。
【０００３】
図１に、このような次世代ディスクのディスクカートリッジ５０の平面図を示す。
先ず、この図では、例えば光ディスクとされるディスク５０ａを破線により示している。
このディスク５０ａとしては、上記もしたようにその直径が６０mm程度とされ、例えば２層記録方式により１．６ＧＢ（ギガバイト）程度のデータ記憶容量を有するものとされる。
そして、ディスクカートリッジ５０は、このようなディスク５０ａを内部に格納するものとされる。
【０００４】
ディスクカートリッジ５０としては、その平面における片側半面が、図示するように内部に格納されるディスク５０ａの円弧に沿った半円形状とされる。
また、他方の片側半面が、図のように２つの角部が丸みを帯びるようにされた略方形状とされている。
ここでは、ディスクカートリッジ５０における、上記のような半円形状とされる半面を半円形部とし、また上記のように略方形状とされる半面を略方形部とする。
例えば、このように一方の半面が他方の半面とは異なる形状とされたことで、ＭＤ（Mini Disc）のように全面にわたって方形状とされたカートリッジとされる場合よりも、例えば装置への挿入方向を認識し易い形状となっている。
【０００５】
そして、このような次世代ディスクとしてのディスクカートリッジ５０のサイズとしては、図のようにこのディスクカートリッジ５０における、上記半円形部の凸方向と同方向への長さ（横の長さとする）「Ａ」が約６５mmとされ、この半円形部の凸方向とは直交する方向の縦の長さ「Ｂ」が約６４mmとされる。
【０００６】
ここで、上記のような次世代ディスクとしては、ディスク５０ａに対し、例えば映像・音声等による映像コンテンツを収録し、これをパッケージメディアとして販売することが想定されている。
但しこの際、上記もしたように次世代ディスクの記憶容量としては、現状では約１．６ＧＢ程度とされるため、例えば比較的長時間の映像コンテンツを収録するといった場合等には、１つの映像コンテンツが複数枚のディスクにわたって収録されることが予想されている。
そして、このような場合に対応するために、現状では、上記のように１つの映像コンテンツを収録した複数のディスクの１組を、所要の収納ケースに収納して１つのパッケージメディアとして販売することが考えられている。
【０００７】
なお、下記特許文献１では、カートリッジに格納されない小型の光ディスクを、通常の光ディスクの収納ケースと同サイズのケースに対して複数枚収納するようにしたものが示されている。
【特許文献１】実開昭６０−２６８１
【発明の開示】
【発明が解決しようとする課題】
【０００８】
しかしながら、上記のように次世代ディスクとしてのディスクカートリッジ５０を、複数枚１組で所要の収納ケースに収納して販売することを想定した場合、これらディスクカートリッジ５０は先の図１に示した如く特殊な形状とされるため、その配列のしかたによっては収納ケースに対して所定の枚数を収納できなくなる可能性がある。
このことから、例えば上記のような特殊な形状のディスクカートリッジ５０を複数枚１組で所要の収納ケースに収納して販売することを想定した場合は、各ディスクカートリッジ５０を効率良く収納ケースに対し収納することが必要であると考えられる。
【０００９】
また、この際、上記もしているようにディスクカートリッジ５０としては、複数枚１組で１つのコンテンツを記録することを想定しているが、このような場合、各ディスクカートリッジ５０に対し、例えば再生順にディスク番号を付す等、所要のラベルを貼付することが考えられる。そして、通常、このように所要の文字等を記したラベルを貼付する場合、このラベルは各ディスクカートリッジ５０に対して所定の同方向に貼付されると考えられる。
このようにしてディスクカートリッジ５０の所定方向にラベルが貼付される場合、収納ケースに収納された状態において、上記ラベルに記された文字等の情報内容が認識され易いように各ディスクカートリッジ５０を配列させるということも必要であると考えられる。
【００１０】
なお、先の特許文献１は、上記もしたようにカートリッジに格納されない小型の光ディスクを、通常のサイズの光ディスクの収納ケースに対して複数枚収納するようにしたものであったが、この文献では、単に光ディスクを隣接して配置することのみが示唆されているに過ぎないものである。
従って、このような特許文献１に記載の技術では、上記のような特殊な形状のディスクカートリッジ５０を収納ケースに対して効率よく収納できるものではない。
また、同様に収納するディスクの向き等を考慮したものではないことから、上記のようにラベルに記された情報内容の視認性を考慮した配列が可能になるものでもない。
【課題を解決するための手段】
【００１１】
そこで、本発明では以上のような問題点に鑑み、先ず第１として、収納ケースを以下のように構成することとした。
すなわち、本発明の収納ケースは、内部にディスクメディアを格納すると共に、その平面形状として、片側半面は半円形部とされ、他方の片側半面は略方形部とされたディスクカートリッジを、複数収納するための収納ケースであって、
上記収納ケース内に形成される収納スペースにおいて、上記ディスクカートリッジのそれぞれを、互いの上記半円形部を対向させ、且つ互いの中心線がずれるように保持する保持手段を設けるようにしたものである。
【００１２】
上記第１の本発明によれば、各ディスクカートリッジは、収納ケースにおいて互いの半円形部どうしが対向する向きで配置される。
その上で、上記のようにして互いのカートリッジの中心線をずらすようにしたことにより、互いの中心線を一致させて配置する場合よりも、各ディスクカートリッジを、互いの半円形部の半円形状に沿ってより近づけて配置することが可能となる。
これによって、ディスクカートリッジの収納に要する、一方の辺の長さを短くすることができる。
【００１３】
さらに、本発明では第２構成として、収納ケースを以下のようにすることとした。
つまり、本発明の第２の構成としての収納ケースは、内部にディスクメディアを格納すると共に、その平面形状として、片側半面は半円形部とされ、他方の片側半面は、角部が丸みを帯びた略方形部とされたディスクカートリッジを、複数収納するための収納ケースであって、
上記収納ケース内に形成される収納スペースにおいて、上記ディスクカートリッジのそれぞれを、互いの上記半円形部を同方向に一致させ、且つ互いの上記同方向の中心線がずれるように保持する保持手段を設けるようにしたものである。
【００１４】
上記第２の本発明によれば、各ディスクカートリッジは、各々の半円形部が同方向に向くように配置される。つまり、各ディスクカートリッジの半円形部と略方形部とが対向するように配置される。その上で、上記のように互いの中心線をずらすようにしたことにより、この場合は一方のディスクカートリッジの半円形部を、他方のディスクカートリッジの略方形部における角部の丸み部分を沿わせるようにして、これらディスクカートリッジをより近づけて配列させることができる。
これにより、第２の本発明としても、ディスクカートリッジの収納に要する一方の辺の長さを短くすることができる。
また、この場合は、各ディスクカートリッジが同方向に向くことで、例えば各ディスクカートリッジの所定方向にラベルが貼付される場合に、これらラベルの向きを揃えることができる。
【００１５】
また、さらに本発明では、第３として、収納ケースを以下のようにも構成することとした。
つまり、本発明の第３の収納ケースは、内部にディスクメディアを格納すると共に、その平面形状として、片側半面は半円形部とされ、他方の片側半面は、角部が丸みを帯びた略方形部とされたディスクカートリッジを、複数収納するための収納ケースであって、
上記収納ケース内に形成される収納スペースにおいて、上記ディスクカートリッジのそれぞれの中心線を上記収納スペースの対角線上に一致させ、且つこの対角線上にて両端に位置するようにされたディスクカートリッジのうちの、少なくとも一方のディスクカートリッジの上記半円形部を、直近の上記対角線の端部に向き合わせるように保持する保持手段を設けるようにしたものである。
【００１６】
上記第３の本発明によれば、収納スペースにおける対角線端部に形成される角部に対して、ディスクカートリッジの半円形部が対向するものとなる。そして、このように収納スペースの角部に対してカートリッジの半円形部を対向させれば、この半円形部の円弧を上記角部に沿わせるようにしてディスクカートリッジをよりこの角部に近づけて配置することができる。
【発明の効果】
【００１７】
上記のように本発明の第１の構成によれば、各カートリッジの半円形部を対向させ、且つ中心線をずらすようにして保持したことにより、互いの中心線を一致させて収納する場合よりも、各ディスクカートリッジを、互いの半円形部の半円形状に沿ってより近づけて配列することが可能となる。つまり、これによって、これらディスクカートリッジの収納に要する一方の辺の長さを短くすることができる。
このようにして、ディスクカートリッジの収納に要する一方の辺の長さを短くすることができれば、例えばコンパクトディスクのパッケージに最も一般的に用いられる収納ケースのように、収納スペースが正方形状とされる場合に、ディスクカートリッジを効率よく収納することができる。
【００１８】
また、本発明の第２の構成によれば、一方のディスクカートリッジの半円形部を、他方のディスクカートリッジの略方形部における角部の丸み部分を沿わせるようにして、これらディスクカートリッジをより近づけて配列させることができる。そして、これにより、この場合としてもディスクカートリッジの収納に要する一方の辺の長さを短くすることができる。
このようにしてディスクカートリッジの収納に要する一方の辺の長さを短くすることができることで、この場合も例えばコンパクトディスクのパッケージに最も一般的に用いられる収納ケースのように収納スペースが正方形状とされる場合に、ディスクカートリッジを効率よく収納することができる。
また、この場合は、各ディスクカートリッジが同方向に向くことで、上記もしたように所定方向にラベルが貼付された場合にこれらラベルの向きを一致させることができる。そしてこの結果、各ディスクカートリッジに貼付されたラベルに記される情報内容の把握を容易とすることができる。
【００１９】
さらに、本発明の第３の構成によれば、ディスクカートリッジの半円形部が収納スペースの角部に向くことで、カートリッジをよりこの角部に近づけて配置することができる。これによっては、収納スペースの対角線上に各ディスクカートリッジを保持させて収納する場合における、収納スペースの省略化が図られるものとなる。
【発明を実施するための最良の形態】
【００２０】
以下、発明を実施するための最良の形態（以下、実施の形態とする）について説明していく。
先ずは、図１の平面図を用いて、実施の形態の収納ケースに収納されるディスクカートリッジについて説明しておく。
実施の形態のディスクカートリッジ５０としては、図中の破線により示すようにして、内部にディスク５０ａが格納される。このディスク５０ａとしては、図示するように直径が６０mm程度とされ、例えば２層記録方式により１．６ＧＢ（ギガバイト）程度のデータ記憶容量を有するものとされている。
【００２１】
ディスクカートリッジ５０としては、その平面における片側半面が、図示するように内部に格納されるディスク５０ａの円弧に沿った半円形状とされる。また、他方の片側半面は、その外形辺が図のように２つの角部が丸みを帯びた略コの字とされて、略方形状とされている。
ここでは、ディスクカートリッジ５０における、上記のような半円形状とされる半面を半円形部とし、また上記のように略方形状とされる半面を略方形部とする。
そして、このようなディスクカートリッジ５０のサイズとしては、例えば、図のようにこのディスクカートリッジ５０における、上記半円形部の凸方向と同方向への長さ（横の長さとする）「Ａ」が約６５mmとされ、この半円形部の凸方向とは直交する方向の縦の長さ「Ｂ」が約６４mmとされる。
【００２２】
本例のディスクカートリッジ５０としては、上記のように一方の半面が他方の半面とは異なる形状とされたことで、例えばＭＤ（Mini Disc）のように全面にわたって方形状とされたカートリッジとされる場合よりも、例えば装置への挿入方向を認識し易い形状となっている。
【００２３】
ここで、先にも述べたように、上記のような次世代ディスクとしてのディスクカートリッジ５０としては、内部に格納したディスク５０ａに対し、例えば映像・音声等による映像コンテンツを収録し、これをパッケージメディアとして販売することが想定されている。
そして、上記もしたようにディスク５０ａの記憶容量としては、現状では約１．６ＧＢ程度とされるため、例えば比較的長時間の映像コンテンツを収録するといった場合には、１つの映像コンテンツが複数枚のディスクにわたって収録されることが予想されている。
このような場合に対応するために、現状では、上記のように１つの映像コンテンツを収録した複数のディスク（カートリッジ）の１組を、所要の収納ケースに収納して１つのパッケージメディアとして販売することが考えられている。
【００２４】
本実施の形態では、このように複数枚のディスクカートリッジ５０を収納するための収納ケースとして、ＣＤ（Compact Disc）メディア収納用のＣＤケースと同寸法の形状のものを用いるものとしている。
ここで、従来よりＣＤは、例えばプラスチック製とされたＣＤケースに収納されて販売されることが多い。最も一般的に用いられるＣＤケースとしては、外形寸法が約１２５mm×１４２．５mmのものが知られている。
このようなＣＤケースが一般的に普及していることで、例えばＣＤを格納するためのＣＤラックや、ＣＤケースを格納して運搬するようなトランク等としても、現状においては上記したジャケットのサイズに合わせて設計されたものが多く普及している。
このことから、実施の形態のディスクカートリッジ５０を収納する収納ケースとしても、上記したサイズとされれば、例えばこれまで用いられていたＣＤラックやトランクに格納できる等、その汎用性を高めることが可能となる。
また、当然のことながら、このようにＣＤケースと同サイズの収納ケースとした場合は、既存のＣＤケースの構成部品を流用できるというメリットもある。
【００２５】
図２は、このようにＣＤケースと同寸法とした実施の形態の収納ケース１の斜視図である。
先ず、実施の形態の収納ケース１としては、図のように収納部２と蓋部４とを有するものとされる。この場合、収納部２は、上記蓋部４を図示する結合部５、５にて開閉可能に結合している。
そして、このような収納ケース１の外形寸法としては、蓋部４が開閉する方向（幅方向）への長さを図のように「Ｗ」とし、この幅方向とは直交する方向（高さ方向）の長さを「Ｈ」とした場合、先に示した一般的なＣＤケースの外形寸法と同等のＷ＝約１４２．５mm、Ｈ＝約１２５mmとされる。
また、この場合、収納部２の幅方向において、図のように蓋部４を結合する側の端部から長さ「Ｎ」にわたっては、図のように収納不能部３が形成される。これは、最も一般的なＣＤケースにも形成されているものである。このような収納不能部３の幅としての長さ「Ｎ」は、約１７．５mmとされている。
そして、実施の形態の場合、図示する収納部２に対しては、ここでは図示していないが所定位置に係止具６が設けられ、これによってディスクカートリッジ５０を当該収納ケース１内において係止して収納することが可能とされている。
【００２６】
このような収納ケース１を想定した上で、第１の実施の形態では、先の図１に示したディスクカートリッジ５０を複数枚、次の図３に示すようにして配列し収納する。
図３は、図２に示した収納ケース１における、収納部２のみを抽出して示した平面図である。
先の図２の説明によれば、この場合の収納部２の高さ（Ｈ）としては、図のように１２５mmとされる。また、この収納部２の幅（Ｗ）としては、約１４２．５mmとされる。そして、最も一般的なＣＤケースの部品を流用するとした場合に当該収納部２に形成される収納不能部３の幅Ｎとしては、１７．５mmとされている。
従って、このように最も一般的なＣＤケースの構成部品を流用した場合の、収納部２における収納スペースとしては、図示するように１２５mm×１２５mmの正方形状のスペースが得られる。
【００２７】
第１の実施の形態としては、このように収納ケース１に形成される正方形状の収納スペースに対して、２つのディスクカートリッジ５０、５０を、図示するように互いの半円形部が対向する向きに配列する。そして、このように各ディスクカートリッジ５０、５０を対向させた上で、図中破線により示した各ディスクカートリッジ５０、５０の中心線をずらすようにして配列するようにしたものである。
なお、以下ではこのようにディスクカートリッジ５０の中心線といったときは、この図３にも示されるようにディスクカートリッジ５０の半円形部の凸方向と同方向となる中心線を指すものとする。
【００２８】
さらに、この場合は、図示する収納部２における、上記のような配列によりディスクカートリッジ５０、５０を収納できる所定位置に対して、これら２つのディスクカートリッジ５０、５０を係止するための係止具６が設けられる。
実施の形態の収納ケース１に備えられるこれら係止具６は、例えば爪形状とされ、２つ１組の係止具６、６により１枚のディスクカートリッジ５０を挟み込むようにして保持することが可能とされている。
【００２９】
上記のようにして、各ディスクカートリッジ５０、５０の半円形部を対向させ、且つ互いの中心線をずらすようにして配列することによっては、各ディスクカートリッジ５０を、互いの半円形部の半円形状に沿ってより近づけて配列することが可能となる。
そして、このように互いを近づけて配列することができれば、これらディスクカートリッジ５０、５０の収納に要する、この場合は図示するＨ方向への長さを短くすることができる。
例えばこの場合、各カートリッジの半円形部を対向させるが、中心線は一致させるようにした配列を想定すると、各ディスクカートリッジ５０の収納に要するＨ方向への長さは、少なくとも６５mm＋６５mm＝１３０mmとなって、１２５mm×１２５mmの収納スペースには収まりきらなくなる。
これに対し、上記のように中心線をずらすようにした本例によっては、上述のように各ディスクカートリッジ５０を近づけて配列できることにより、図示するようにして収納部２における収納スペースに対して効率よく収めることができるものである。
このようにして、第１の実施の形態によっては、ＣＤケースサイズの収納ケース１に対して、先の図１に示したようなサイズによるディスクカートリッジ５０を２枚、収納スペース内に効率よく収めることが可能となる。
【００３０】
ここで、これまでの説明では、収納ケース１として、各部の寸法を一般的なＣＤケースと同一寸法とし、既存のＣＤケースの部品を流用できるようにしたが、例えば収納部２としての部品に形成される収納不能部３を省略することによっては、収納部２の収納スペースをさらに拡大することができるようになる。
図４は、第１の実施の形態の変形例として、このように収納不能部３を省略するとした場合の収納ケース１０の構成例を示す斜視図である。
図４に示されるようにして、この変形例としての収納ケース１０としては、収納不能部３を省略した収納部２０を用いるようにする。そして、このような収納部２０に対して、図示する蓋部４を開閉可能に結合する。
【００３１】
この図４に示されるような収納部２０に対し、先の図３に示した第１の実施の形態としての配列に基づいてディスクカートリッジ５０を収納することによっては、次の図５に示すように、最大で３枚のディスクカートリッジ５０を収納することが可能となる。
すなわち、先の図３に示したようにして２枚のディスクカートリッジ５０、５０を配列した上で、これらの内の一方のディスクカートリッジ５０に対して、互いの半円形部が対向する向きで、且つ互いの中心線がずれるようにして、もう１枚のディスクカートリッジ５０を配列したものである。
このようにして、収納不能部３を省略した場合としても、上記のように対向したディスクカートリッジ５０どうしの中心線をずらして配列すれば、各ディスクカートリッジ５０どうしを近づけて収納することが可能となって、この場合は収納部２に対して３枚のディスクカートリッジ５０を収納することができる。
なお、この場合も収納部２における、このような配列を可能とする所定位置には、係止具６が設けられて各ディスクカートリッジ５０を係止して収納することが可能とされる。
【００３２】
このようにして、第１の実施の形態によれば、互いの半円形部を対向させ且つ互いの中心線をずらして各ディスクカートリッジ５０を配列させたことにより、半円形部の半円形状に沿って各ディスクカートリッジ５０をより近づけて収納できる。
そして、これによって、先の図３にも示したように、図１に示したサイズによるディスクカートリッジ５０を２枚、ＣＤケースと同一寸法とされた収納ケース１に対して効率よく収納することができる。
すなわちこの結果として、例えば次世代ディスクとしてのディスクカートリッジ５０を複数枚収納してパッケージ化して販売するとした場合に、ＣＤケースと同一寸法による、汎用性の高い収納ケース１に収納して販売することができるものとなる。
【００３３】
また、上記のようにして２枚のディスクカートリッジ５０を効率よく収納できることで、収納部２におけるディスクカートリッジ５０が収納される部分以外の空きスペースを有効利用することができる。
【００３４】
またこの場合、本例の収納ケース１としては、上記もしているように一般的なＣＤケースと各部を同一寸法としているので、既存のＣＤケースの部品を流用できるというメリットがある。
【００３５】
さらに、先の図４に示した収納ケース１０のように、収納不能部３を省略した形状の収納部２０を用いるようにした場合には、最大で３枚のディスクカートリッジ５０を収納することが可能となった。
なお、確認のために述べておくと、このように収納不能部３を省略した場合でも、外形寸法はＣＤケースと同一とされることから、ＣＤケースと同一寸法とされることによる汎用性は確保できるものである。
【００３６】
続いては、次の図６を用いて、本発明における第２の実施の形態としての収納ケース１について説明する。
図６は、第２の実施の形態の収納ケース１における、収納部２のみを抽出して示した平面図である。なお、第２の実施の形態においては、既に先の第１の実施の形態において説明した部分については同一の符号を付して説明を省略する。
第２の実施の形態の場合、各ディスクカートリッジ５０に対しては、図示するように所定位置に対して所定の方向にラベル５１が貼付されるものとして想定している。
このラベル５１に対しては、例えばこれらディスクカートリッジ５０内に格納されるディスク５０ａに収録された映像コンテンツのタイトル名や、この映像コンテンツの再生順に従ったディスク番号等の情報が記されている。
【００３７】
第２の実施の形態においては、このように所定方向にラベルの貼付されたディスクカートリッジ５０、５０を、図示するように収納部２の収納スペースに対し、互いの半円形部が同方向に一致するように配列させる。そして、これと共に、図中の破線により示した、互いの中心線をずらすように配列するものとしている。
上記のようにして、互いの半円形部を同方向に一致させることによっては、一方のディスクカートリッジ５０の略方形部と、他方のディスクカートリッジ５０の半円形部とが対向する向きとなる。そして、ここでは上記のように互いの中心線がずれるようにされたことで、図示するように一方のディスクカートリッジ５０の略方形部における、丸みを帯びた角部と、他方のディスクカートリッジ５０における半円形部とを沿わせるようにして近づけて配列することができ、例えば互いの中心線を一致するようにして配列した場合と比較して、より各ディスクカートリッジ５０を近づけて配列することができるようになる。
例えばこの場合、仮に中心線を一致させて配列した場合には、先の図３においても説明したように、ディスクカートリッジ５０、５０の収納に要する長さが約１３０mmとなって、収納スペースに収まらなくなってしまうものを、上記のように中心線をずらして配列することで、各ディスクカートリッジ５０を近づけるようにして効率よく収めることができるものである。
【００３８】
この場合も、２枚のディスクカートリッジ５０を効率よく収納できることで、収納部２におけるディスクカートリッジ５０が収納される部分以外の空きスペースを有効利用することができる。
【００３９】
また、この場合は、図からもわかるように各ディスクカートリッジ５０は同方向に向くように配列されることになるから、各ディスクカートリッジ５０の所定方向に貼付された各ラベル５１としても、同方向に向くようにすることができる。
これによっては、各ラベル５１に記された文字等も同方向に一致させることができ、各ラベル５１に記された情報内容の把握を容易とすることができる。
【００４０】
なお、このような第２の実施の形態の収納ケース１においても、上記のような配列を可能とする収納部２における所定位置には、係止具６が設けられて各ディスクカートリッジ５０を係止して収納することが可能とされる。
【００４１】
さらに、次の図７〜９を用いて、第３の実施の形態としての収納ケース１について説明する。
なお、第３の実施の形態においても、既に先の第１の実施の形態において説明した部分については同一の符号を付して説明を省略する。また、第３の実施の形態において、図７〜図９としても、先の図３、図６と同様、収納ケース１の平面図として収納部２のみを抽出して示している。
第３の実施の形態は、図７、図８に示されるようにして、収納部２における収納不能部３以外の収納スペースの、図中破線により示した対角線に対し、各ディスクカートリッジ５０の中心線を一致させるようにして配列するものである。
そして、このように各ディスクカートリッジ５０を収納スペースの対角線上に一致させた上で、これら図７、図８に示すように、少なくとも一方のディスクカートリッジ５０の半円形部が、このディスクカートリッジ５０の直近となる、収納スペースの角部（対角線の端部）と向き合うようにして配列するようにしたものである。
【００４２】
つまり、第３の実施の形態としては、上記のようにして収納部２における収納スペースの対角線と、上記した各ディスクカートリッジ５０の中心線が一致するようにディスクカートリッジ５０、５０を配列した上で、図７に示されるようにして、各々のディスクカートリッジ５０の半円形部が、それぞれ直近に位置する収納スペースの角部と向き合うようにして配列するようにする。
或いは、同様に収納部２における収納スペースの対角線と、上記した各ディスクカートリッジ５０の中心線が一致するようにディスクカートリッジ５０、５０を配列した上で、次の図８に示されるように、一方のディスクカートリッジ５０のみの半円形部が、このディスクカートリッジ５０の直近に位置する収納スペースの角部と向き合うようにして配列するようにするものである。
【００４３】
このようにして、収納スペースの角部に対し、ディスクカートリッジ５０の半円形部を向き合わせることによっては、例えばこの角部に対してディスクカートリッジ５０の略方形部を向き合わせた場合と比較して、よりこの角部にディスクカートリッジ５０を近づけて配列することができる。
このように、少なくとも一方のディスクカートリッジ５０が、収納スペースの一方の角部により近づくようになれば、他方のディスクカートリッジ５０を収納すべきスペースをより得ることができるようになる。
従って、各ディスクカートリッジ５０を収納スペースの対角線に一致させて保持させる場合において、上記のようにして少なくとも一方のディスクカートリッジ５０の半円形部が、直近の角部と向き合うようにされることによっては、これらディスクカートリッジ５０、５０を、収納スペースに対して効率良く収納することができるものとなる。
【００４４】
ここで、例えば次の図９に示されるようにして、収納部２における収納スペースの各角部に対し、各ディスクカートリッジ５０の略方形部を向き合わせて配列した場合は、ディスクカートリッジ５０が収納スペースに収まりきらなくなる。
このことからも、収納スペースの角部に対し、少なくとも一方のディスクカートリッジ５０の半円形部を向き合わせる第３の実施の形態によっては、少なくとも一方のディスクカートリッジ５０をより角部に近づけて効率よくディスクカートリッジ５０を配列できることが理解される。
そして、先の図７、図８にも示したように、このように少なくとも一方のディスクカートリッジ５０の半円形部を収納スペースの角部に向き合わせるように配列した場合には、先の図１に示したサイズによるディスクカートリッジ５０を２枚、ＣＤケースサイズの収納ケース１の対角線上に効率よく収納することができるものである。
このように２枚のディスクカートリッジ５０を効率よく収納できることで、この場合も収納部２におけるディスクカートリッジ５０が収納される部分以外の空きスペースを有効利用することができる。
【００４５】
なお、図７、図８に示されるように、このような第３の実施の形態の収納ケース１においても、上記のような配列を可能とする収納部２における所定位置には、係止具６が設けられて各ディスクカートリッジ５０を保持して収納することが可能とされている。
【００４６】
なお、上記した第２、第３の実施の形態においては、収納不能部３が形成された収納部２を用いる場合のみを例示したが、収納不能部３を省略した収納ケース１とされてもよい。
また、各実施の形態では、ディスクカートリッジ５０を収納するための収納面が、収納ケース１に対して１面しか設けられない場合を例に挙げたが、この収納面を複数設けるようにして、各収納面に対して、上記した各実施の形態の収納方法によりディスクカートリッジ５０を収納するように構成されてもよい。
例えば、ＣＤケースには、複数枚のＣＤを１組にパッケージ化して販売する場合等に、通常よりもジャケットの厚みを増して複数のＣＤを収納可能に構成されたものがある。そして、このようなＣＤケースでは、例えばＣＤの収納面を複数設けるようにして、これら各収納面に対して各ＣＤを収納することが可能に構成されたものがある。
上記のようにして収納ケース１として収納面を複数設けるとした場合は、このようなＣＤケースの構成部品を流用するようにして収納ケース１を構成することができる。
【００４７】
また、各実施の形態では、収納部２に対して設けた係止具６によって各ディスクカートリッジ５０を保持するものとしたが、例えば収納部２に対してディスクカートリッジ５０と同等の形状による凹部を形成しておき、ここにディスクカートリッジ５０を嵌合して保持する等、他のカートリッジ保持のための構成が採られてもよい。
【図面の簡単な説明】
【００４８】
【図１】本発明の各実施の形態の収納ケースが収納するディスクカートリッジの外形形状を示した平面図である。
【図２】各実施の形態の収納ケースの外観及び構成例を示す斜視図である。
【図３】第１の実施の形態の収納ケースの平面図として、ディスクカートリッジの収納部のみを抽出して示した図である。
【図４】第１の実施の形態の他の収納ケースの外観及び構成例を示す斜視図である。
【図５】第１の実施の形態の他の収納ケースの平面図として、ディスクカートリッジの収納部のみを抽出して示した図である。
【図６】第２の実施の形態の収納ケースの平面図として、ディスクカートリッジの収納部のみを抽出して示した図である。
【図７】第３の実施の形態の収納ケースの平面図として、ディスクカートリッジの収納部のみを抽出して示した図である。
【図８】第３の実施の形態の他の収納ケースの平面図として、ディスクカートリッジの収納部のみを抽出して示した図である。
【図９】収納ケースに対してディスクカートリッジが収納できない例について説明するための図である。
【符号の説明】
【００４９】
１、１０  収納ケース、２、２０  収納部、３  収納不能部、４  蓋部、５  結合部、６  係止具、５０  ディスクカートリッジ、５０ａ  ディスク、５１  ラベル
【図１】
2005085375.tif 000003
【図２】
2005085375.tif 000004
【図３】
2005085375.tif 000005
【図４】
2005085375.tif 000006
【図５】
2005085375.tif 000007
【図６】
2005085375.tif 000008
【図７】
2005085375.tif 000009
【図８】
2005085375.tif 000010
【図９】
2005085375.tif 000011